(57)【要約】  太陽エネルギーを用いて水を加熱する太陽熱収集器を使用する電力の生成システム。加熱された水は、第１のタンクにおいて貯蔵される。容器はパイプを通じて第１のタンクに接続され、加熱された水が蒸気を生成するように噴霧されるヘッドスペースを含み、ヘッドスペース圧は気圧より低く、蒸気に変換されない水は第１のタンクへ戻るように供給されるために容器の底部でプールに集められる。蒸気は、発電装置を駆動する部分噴射タービンに供給される。【選択図】図１
2018521257.tif 000002
【特許請求の範囲】
【請求項１】
電力の生成システムであって、
太陽エネルギーを用いて水を加熱するための太陽熱収集器であって、該加熱された水は第１のタンクに貯蔵される太陽熱収集器、
第１のパイプを通じて前記第１のタンクに接続され、前記加熱された水がその中で蒸気を生成するために噴霧されるヘッドスペースを有する容器であって、該ヘッドスペースの圧力は気圧より低く、蒸気に変換されない水が該容器の底部でプールに集められる容器、 
水を前記プールから汲み出し、第２のパイプを通じて前記第１のタンクに入れる第１のポンプ、
部分噴射タービンに蒸気をパイプで送る第３のパイプ、 
残りの蒸気を冷却して水にするように凝縮器へ第２のタンクから水を噴霧するために複数の水の出口を含むタービンの底部に位置する凝縮器、 及び、
第４のパイプを通じて前記第２のタンクに前記タービンの底部から水を汲み出す第２のポンプ、を含み、蒸気は発電装置を駆動する前記部分噴射タービンを駆動する電力の生成システム。
【請求項２】
前記パイプの各々を通じた流量が該パイプの寸法によって決定される、請求項１に記載のシステム。
【請求項３】
前記パイプの各々を通じた流量が個々のバルブによって制御される、請求項１に記載のシステム。
【請求項４】
前記第１のパイプを通じた流体の流量が少なくとも最初は前記第２のパイプを通じた流量より小さく、そのために前記ヘッドスペースの圧力の減少が生じる、請求項２又は３に記載のシステム。
【請求項５】
前記ヘッドスペースの前記作動圧力が約−１４ｐｓｉｇである、請求項１に記載のシステム。
【請求項６】
過剰分を収容するように前記第２のタンクに接続される出口パイプを含む、請求項１に記載のシステム。
【発明の詳細な説明】
【技術分野】
【０００１】
本発明は一般に、部分噴射軸流タービンを用いて低温蒸気から電力を生成するシステムに関する。
【背景技術】
【０００２】
電力は、現代社会における基本的な必要条件のうちの１つである。電気は太陽電池、風力タービン又は水力を含む多くの方法で生成することができるが、その生成の大部分は、動力の安定した連続的な生産を確実にするために蒸気タービンを用いて達成される。蒸気を生成するためには、化石燃料の燃焼又は核分裂によって生じる熱で水を沸騰させるように大きいボイラーが用いられる。
【０００３】
既存の蒸気タービンは概して大きく、損失を克服しかつ財政面で現実的であるように１００ｋＷ（キロワット）以上を生成するものである。蒸気の膨張により、多段の軸及び放射状の設計において吹出し面積を増加させる必要があり、一方で、高圧、温度及び回転速度により材料の選択が制限される。サイズの大きさと一般に水平な構成により、軸は、軸方向に沿って支持される必要がある。回転羽根の列（回転子）は、静止したノズル列（固定子）によって分離されなければならず、組み立ての複雑さは増大する。
【０００４】
起動用の流体として蒸気を用いる長年にわたる発電装置の開発は、生成された電気のＭＷ（メガワット）時当たりのコスト削減に主として焦点を定めてきた。そのために、蒸気タービン技術の改善は、出力、蒸気／ボイラー温度、ユニット信頼性／有効性又はこれらの組合せを増やすことに集中してきた。これらの改善は一般に単位原価を増やすものであり、財政面で現実的であることを維持するためには動力の出力を増加する必要がある。
【０００５】
蒸気を生じるために太陽加熱の水を用いることは公知であり、流体の流れを加速し、接続された装置に動力出力を供給するために軸に接続される翼の形状の回転する列（概して「バケット」、「回転子」又は「動翼」と呼ばれる）に当たるように向ける翼の静止した列（概して「ノズル」、「固定子」又は「羽根」と呼ばれる）を含む軸流タービンを駆動する補助エネルギー入力として用いられる。
【０００６】
流体密度がタービン入口で非常に高い場合には、多段タービンの第１の段（できる限り第１の数段）が「部分噴射」を有するように設計するのが一般的な慣行である。部分噴射は、ノズル通路が３６０°の外周の一部（すなわち切片）のみに提供される段の設計に関連するものである。従来の設計で用いられるような部分噴射の主な利点は、より大きいノズルを用いること、及び、動翼通路の高さ（すなわち放射状の長さ）を大きくすることができることであり、結果として、損失が減少するために効率が良くなる。これは、部分噴射タービンにおいて翼高がとても小さい可能性がある高密度の流れにとって特に重要である。
【０００７】
従来のタービン、特に蒸気タービンでは、部分噴射は、高密度の流体で作動する第１の段（又は第１の数段）に適用されるだけである。それらの作動圧力及び密度が非常に減少してしまうので、以降の段では部分噴射を利用することができない。その結果、入口からの蒸気が広がり排気されるにつれて生じる高い体積流量を補うために、ノズル及び動翼通路領域を大きく増加させる必要がある。これらの高い体積流量の段の間に概して大きい通路領域を達成する一方で、適正な機械的な応力制限内で翼高を維持するために、全開（３６０°の）が必要となる。
【０００８】
蒸気が全ての段を通過した時、残りの蒸気は凝縮される必要があるので、蒸気はタービンの底部から水として取り除くことができる。概して、凝縮された水は蒸気発生器で再利用されることになる。
【発明の概要】
【発明が解決しようとする課題】
【０００９】
本発明の目的は、部分噴射蒸気タービンに用いるように低温蒸気から電力を生成するシステムを提供することである。個々の構成要素の詳細については、以下の名称の同時係属出願を参照のこと：
（ａ）低温蒸気での作動に適応する多段軸流タービンに用いるために熱水から低温蒸気を生成する方法及び装置。
（ｂ）低温蒸気で作動するために適応する多段軸流タービン。
（ｃ）低温蒸気で作動するために適応する多段軸流タービンに用いるための軸。
（ｄ）低温蒸気で作動するために適応する多段軸流タービンに用いるための凝縮器システム。
【課題を解決するための手段】
【００１０】
それゆえに、本発明の一形態において以下の構成：太陽エネルギーを用いて水を加熱するための太陽熱収集器であって、加熱された水は第１のタンクに貯蔵される太陽熱収集器；
第１のパイプを通じて第１のタンクに接続され、加熱された水がその中で蒸気を生成するために噴霧されるヘッドスペースを有する容器であって、ヘッドスペースの圧力は気圧より低く、蒸気に変換されない水が容器の底部でプールに集められる容器;
水をプールから汲み出し、第２のパイプを通じて第１のタンクに入れる第１のポンプ；部分噴射タービンに蒸気をパイプで送る第３のパイプ;
残りの蒸気を冷却して水にするように凝縮器へ第２のタンクから水を噴霧するために複数の水の出口を含むタービンの底部に位置する凝縮器；及び、
第４のパイプを通じて第２のタンクにタービンの底部から水を汲み出す第２のポンプ;を含む電力の生成システムが提案され、そこで、蒸気は発電装置を駆動する部分噴射タービンを駆動する。
【００１１】
好ましくは、各々のパイプを通じた流量はパイプの寸法によって決定される。
【００１２】
好ましくは、各々のパイプを通じた流量は個々のバルブによって制御される。
【００１３】
好ましくは、第１のパイプを通じた流体の流量は、少なくとも最初は第２のパイプを通じた流量より小さく、そのためにヘッドスペースの圧力の減少が生じる。
【００１４】
好ましくは、ヘッドスペースの作動圧力は、約−１４ｐｓｉｇ（ポンド毎平方インチゲージ）である。
【００１５】
好ましくは、システムは、過剰分を収容するために第２のタンクに接続される出口パイプを更に含む。
【図面の簡単な説明】
【００１６】
【図１】図１は、本発明の一実施態様による電力を生成するシステムの概略図である。
【発明を実施するための形態】
【００１７】
本発明の好適な特徴、実施態様及び変形は、本発明を実行するために十分な情報を当業者に提供する以下の詳細な説明から認識することができる。詳細な説明は、いかなる形であれ上記の本発明の開示の範囲を制限するものとはみなされない。詳細な説明は、以下のように図面の番号を参照するものである。ここで、ほんの一例として添付の図面を参照する。 
【００１８】
以下の本発明の好ましい実施態様の詳細な説明は、添付の図面に関連する。可能である場合は、同じ部分や類似した部分を参照するために同じ参照番号が図面及び以下の記載の全体にわたって用いられる。本明細書で用いられるように、絶対的な配向を示唆する用語（例えば「上部」、「底部」、「前部」、「後部」、「水平」等）の使用は、解説用の便宜のためであり、特定の図で示される配向に関連するものである。しかしながら、様々な構成要素が、記載されたもの又は示されたものと同様である、あるいはそれらと異なる配向において実際に利用されてもよいと考えられるので、そのような用語は限定的に解釈されるべきではない。図面に示される特定の部品の寸法は、明瞭さ又は説明のために修正及び／又は誇張されている可能性がある。
【００１９】
ここで図面に戻ると、最も単純な説明において、水を加熱し、その熱水から蒸気を生成して、電力を生成するために電気タービンで蒸気を使用する手段を含む、電力の生成のための電力生成システム１０が示されている。
【００２０】
本実施態様において、太陽エネルギー１２は太陽熱パネル１６を使用して水１４を加熱するために用いられ、加熱された水は貯蔵タンク１８に貯蔵される。水は、パイプ２０を通じてタンク１８とソーラーパネル１６の間で循環する。熱損失を最小化するために、タンクは断熱材２２を含む。
【００２１】
タンク１８からの水１４は、密封された室２６にパイプ２４を経て供給される。水は、その長さに沿って複数の開口（図示せず）を概して有するシャワーヘッド３０を用いてヘッドスペース２８において噴霧される。噴霧された水は室２６の底部でプール３２において集められ、そこでポンプ３４は、パイプ３６を通じて貯蔵タンク１８に水を戻すように供給する。バルブ３８は、パイプ２４及び３６を通じて水の流れを制御するために用いることができる。
【００２２】
パイプ２４及び３６の寸法を制御すること、又は、バルブ３８を作動することのいずれによっても、パイプ３６を通じた流量は、最初はパイプ２４を通じた流量よりも大きく、室におけるヘッドスペース２８の容積を増やし、それによりヘッドスペース２８で真空が作成される。気圧が約１４．７ｐｓｉａ（重量ポンド毎平方インチ）であると、その圧力は、実際には−１４ｐｓｉｇに減少することができる。ヘッドスペース２８の真空により、結果として摂氏１００℃よりも非常に低い温度で噴霧された水が蒸気に変わる。
【００２３】
蒸気はそれから部分噴射タービン４２に蒸気パイプ４０を経て供給されて、その蒸気によってタービンが回転し、生成器４４がスピンして電力を生じる。蒸気がタービンの底部４６に届くと、全ての蒸気が凝縮されるのを確実にするように、それは冷水の流れを浴びて、それから水は、ポンプ５０を用いて凝縮器パイプ４８を通じて抽出されて、タンク５４へパイプ５２を通じて供給される。タンクの水はそれから、タービンの真空も約−１４ｐｓｉｇで維持されるように選択あるいは制御されたパイプ４８及びパイプ５６を通じた流量でパイプ５６を通じて底部４６へ戻って再循環する。
【００２４】
密封された室２６及びタービン４２が密封された環境及び真空において作動し、その結果、気圧において水の沸点より低い温度で水が蒸発して蒸気になり、更に、部分噴射タービンの動作を援助するということがここで認識される。
【００２５】
貯蔵タンク１８及びタンク５４は、オーバーフローパイプ６０を有するタンク５４と結合パイプ５８を通じて一緒に流動的に連結することができる。
【００２６】
上記の参照は太陽で加熱された水を用いるものであるが、例えば地熱水あるいは他の手段によって加熱された水といった他の熱源の水が用いられてもよく、真空も、水ポンプ以外の他の手段によって生成することができる。
【００２７】
加えて、システムは発電装置を駆動するために用いられるものであるが、回転電力の源を提供するために使用してもよい。
【００２８】
本発明に対する更なる利点及び改善は、その範囲から逸脱することなく作成されてもよい。本発明は最も実用的でありかつ好適な実施態様であると考えられる態様で図と共に記載されているとはいえ、本明細書に開示される詳細に限定されないが、ありとあらゆる同等のデバイス及び装置を受け入れるように請求項の完全な範囲と一致する本発明の範囲及び趣旨の範囲内で変更がなされてもよいと認識される。本明細書全体にわたる従来技術の解説は、そのような従来技術がこの分野において広く公知の、あるいは共通の一般知識の一部を形成することを承認するものではないとみなされる。
【００２９】
本明細書及び請求項において（ある場合には）、「含む：ｃｏｍｐｒｉｓｉｎｇ」という語、及び、「ｃｏｍｐｒｉｓｅｓ」や「ｃｏｍｐｒｉｓｅ」といったその派生語は、各々の明示された完全体を含むが、１つ又はそれ以上の更なる完全体の包含を排除するものではない。
【符号の説明】
【００３０】
１２  太陽エネルギー
１０  動力生成システム
１４  水
１６  加熱パネル
１８  貯蔵タンク
２０  パイプ
２２  断熱材
２４  パイプ
２６  密封された室
２８  ヘッドスペース
３０  シャワーヘッド
３２  プール
３４  ポンプ
３６  パイプ
３８  バルブ
４０  蒸気パイプ
４２  部分噴射タービン
４４  生成器
４６  タービンの底部
４８  凝縮器パイプ
５０  ポンプ
５２  パイプ
５４  タンク
５６  パイプ
５８  結合パイプ
６０  オーバーフローパイプ
【図１】
2018521257.tif 000003
【国際調査報告】
2018521257.tif 000004
2018521257.tif 000005
2018521257.tif 000006